(57)【要約】【課題】開発を長期的に考えると将来的には、社会的・法規則による要求の変化や要求の重要度の変化、将来的な技術発展が見込まれる。そのような要求の変化や技術の変化といった将来の変化を見据えて、最も効果的な解決方法を与える技術が必要である。また、製品開発は一時的なものではなく、長期的に様々な技術が適用されるため、長期的な開発計画を立てることを支援する方法が必要である。【解決手段】要求品質展開表の作成を想定する時期を入力する要求品質展開表の想定作成時点、要求項目、開発項目、要求項目と開発項目の対応付け、要求品質展開表の想定作成時点に応じた要求項目重要度、要求項目の出現時期、開発項目の実現時期、要求品質展開表の想定作成時点の重みを入力し、複数の要求に対して、将来を見据えて最も効果的な解決方法を与える技術を選択する情報を出力する開発方針決定支援装置。【選択図】  図４
2012238280.tif 000002
【特許請求の範囲】
【請求項１】
情報の管理と処理の実行命令を行う処理部、前記情報の演算処理を行う演算部、前記情報を格納する情報記憶データベース、入力部、及び出力部を備え、製品の開発方針決定を支援する開発方針決定装置であって、
前記処理部は、要求品質展開表作成手段と、要求項目重要度設定手段と、開発項目重要度算出手段、及び、最終開発項目重要度算出手段を備えており、
前記製品の開発に関する前記要求品質展開表の情報として、該要求品質展開表の複数の想定作成時点、複数の要求項目、複数の開発項目、前記要求項目と前記開発項目の対応付け、前記複数の想定作成時点に応じた前記要求項目重要度、前記要求項目の出現時期、前記開発項目の実現時期、及び、前記複数の想定作成時点の重みの入力を受け付け、
前記要求品質展開表作成手段で前記要求品質展開表を作成し、
前記要求項目重要度設定手段で前記想定作成時点毎の要求項目重要度を前記要求品質展開表に設定し、
前記開発項目重要度算出手段で前記想定作成時点毎の前記要求項目重要度を設定した要求品質展開表から開発項目重要度を算出し、
前記最終開発項目重要度算出手段で全想定作成時点の前記開発項目重要度から最終開発項目重要度を算出する
ことを特徴とする開発方針決定支援装置。
【請求項２】
請求項１において、
前記要求項目の出現時期とは、前記要求項目に対応して、その要求がいつ現れるかの時点であり、
前記開発項目の実現時期とは、前記開発項目に対応して、その技術がいつ実現できるかの時点である
ことを特徴とする開発方針決定支援装置。
【請求項３】
請求項１において、
前記要求品質展開表の想定作成時点の重みとは、前記要求品質展開表を作成する時点に与えられる重み付けである
ことを特徴とする開発方針決定支援装置。
【請求項４】
請求項１において、
開発方針決定装置は、前記要求品質展開表の想定策定時点に応じて前記開発項目重要度と前記最終開発項目重要度を出力する
ことを特徴とする開発方針決定支援装置。
【請求項５】
請求項１において、
前記開発方針決定装置は、前記最終開発項目重要度を算出し、最も数値が高かった前記開発項目を、最優先の開発項目であるとして出力する
ことを特徴とする開発方針決定支援装置。
【請求項６】
開発方針決定装置を用いて製品の開発方針決定を支援する開発方針決定支援方法であって、
前記開発方針決定装置は、
情報の管理と処理の実行命令を行う処理部、前記情報の演算処理を行う演算部、前記情報を格納する情報記憶データベース、入力部、及び出力部を備えており、
前記処理部は、要求品質展開表作成手段と、要求項目重要度設定手段と、開発項目重要度算出手段、及び、最終開発項目重要度算出手段を備えており、
前記要求品質展開表の情報として、該要求品質展開表の複数の想定作成時点、要求項目、開発項目、前記要求項目と前記開発項目の対応付け、前記複数の想定作成時点に応じた前記要求項目重要度、前記要求項目の出現時期、前記開発項目の実現時期、及び、前記複数の想定作成時点の重みの入力を受け付けるステップと、
該情報を処理して、前記複数の要求品質展開表の想定策定時点に応じて前記開発項目重要度と前記最終開発項目重要度を算出するステップと、
前記前記開発項目重要度と前記最終開発項目重要度を前記出力部に出力するステップ
を有することを特徴とする開発方針決定支援方法。
【請求項７】
請求項６において、
前記要求品質展開表作成手段で要求品質展開表を作成し、
前記要求項目重要度設定手段で想定作成時点毎の要求項目重要度を前記要求品質展開表に設定し、
前記開発項目重要度算出手段で前記想定作成時点毎の前記要求項目重要とを設定した要求品質展開表から開発項目重要度を算出し、
前記最終開発項目重要度算出手段で全想定作成時点の前記開発項目重要度から最終開発項目重要度を算出する
ことを特徴とする開発方針決定支援方法。
【請求項８】
請求項６において、
前記開発方針決定装置は、前記最終開発項目重要度を算出し、最も数値が高かった前記開発項目を、最優先の開発項目であるとして前記出力部に出力する
ことを特徴とする開発方針決定支援方法。
【請求項９】
情報の管理と処理の実行命令を行う処理部、前記情報の演算処理を行う演算部、前記情報を格納する情報記憶データベース、入力部、及び出力部を備え、製品の開発方針決定を支援する開発方針決定装置であって、
前記処理部は、要求品質展開表作成手段と、要求項目重要度設定手段と、開発項目重要度算出手段、及び、要求満足度算出手段を備えており、
前記製品の開発に関する前記要求品質展開表の情報として、該要求品質展開表の作成を想定する１つの時期である想定作成時点、要求項目、開発項目、要求項目と開発項目の対応付け、要求品質展開表の作成時点の要求項目重要度、要求項目の出現時期、開発項目の実現時期の入力を受け付け、
前記要求品質展開表作成手段で前記要求品質展開表の作成時点の要求品質展開表を作成し、
前記要求項目重要度設定手段で前記想定作成時点の要求項目重要度を設定し、
前記開発項目重要度算出手段で前記想定作成時点毎の前記要求項目重要度を設定した要求品質展開表から開発項目重要度を算出し、
前記要求満足度算出手段で前記想定作成時点の要求項目重要度から技術の実現順に応じた要求満足度を出力する
ことを特徴とする開発方針決定支援装置。
【請求項１０】
請求項９において、
前記開発方針決定装置は、新たな要求項目重要度と、それ以前の要求項目の重要度の減少度に基づいて、前記要求満足度を算出する
ことを特徴とする開発方針決定支援装置。
【請求項１１】
請求項１０において、
前記開発方針決定装置は、前記要求品質展開表の想定作成時点の要求項目重要度を、前記要求品質展開表の１つ前の想定作成時点の前記要求品質展開表において選択する開発項目に応じて前記要求項目重要度から算出する
ことを特徴とする開発方針決定支援装置。
【請求項１２】
請求項９において、
前記開発方針決定装置は、製品開発において複数の技術が時系列で適用される場合の、全ての技術の適用順を考慮した前記要求満足度を算出し、最も高い要求満足度を得られる前記開発項目の適用順を前記出力部に出力する
ことを特徴とする開発方針決定支援装置。
【請求項１３】
開発方針決定装置を用いて製品の開発方針決定を支援する開発方針決定支援方法であって、
前記開発方針決定装置は、
情報の管理と処理の実行命令を行う処理部、前記情報の演算処理を行う演算部、前記情報を格納する情報記憶データベース、入力部、及び出力部を備えており、
前記製品の開発に関する前記要求品質展開表の情報として、該要求品質展開表の作成を想定する１つの時期である想定作成時点、要求項目、開発項目、要求項目と開発項目の対応付け、要求品質展開表の作成時点の要求項目重要度、要求項目の出現時期、開発項目の実現時期の入力を受け付けるステップと、
該情報を処理して、前記複数の要求品質展開表の想定策定時点において選択する開発項目に応じて前記要求項目重要度と前記要求満足度を算出するステップと、
前記要求満足度を前記出力部に出力するステップ
を有することを特徴とする開発方針決定支援方法。
【請求項１４】
請求項１３において、
前記開発方針決定装置は、前記要求品質展開表の想定作成時点の要求項目重要度を、前記要求品質展開表の１つ前の想定作成時点の前記要求品質展開表において選択する開発項目に応じて前記要求項目重要度から算出することと、
算出した前記要求項目重要度に基づく要求項目重要度の減少度から前記要求満足度を算出する
ことを特徴とする開発方針決定支援方法。
【請求項１５】
請求項１３において、
前記開発方針決定装置は、前記要求満足度を算出し、最も高い要求満足度を得られる前記開発項目の適用順を、最適な開発方針であるとして前記出力部に出力する
ことを特徴とする開発方針決定支援方法。
【発明の詳細な説明】
【技術分野】
【０００１】
本発明は、顧客要求により、製品の開発技術を決定する開発方針決定作業を支援する方法および支援装置に関するものであり、特に、将来の予想を踏まえ、漠然とした要求を具体的で管理可能な項目に還元する方法および装置に関する。
【背景技術】
【０００２】
顧客からの要求に基づいた製品開発を行う方法として、非特許文献１に示されている品質展開法（QFD，Qualｉty Functｉon Deployment）がある。この品質展開法は、顧客からの要求を把握、分析し、要求と品質特性の二次元表を作成し、品質特性（技術的品質、さらには部品仕様）に変換することで、製品評価を行う方法である。従来、品質展開法は一時的な開発方針を決定するために利用されている。
【０００３】
特許文献1によると、上記品質展開法には、顧客受注型システム開発において、要求の取捨選択を行うための検討材料を提供する方法が無いことを課題として挙げている。要求と要求元の関連付けを評価することにより、要求に係る重要度を算出し、開発項目と開発成果物、要求の関連付けを評価することにより、要求に係る開発コストを算出し、要求に係る重要度と、開発コストを並列に表示する要求仕様決定支援装置を提供すると記載されている。
【先行技術文献】
【特許文献】
【０００４】
【特許文献１】特開２００３−３３１００５号公報
【非特許文献】
【０００５】
【非特許文献１】品質展開入門  赤尾洋二他著  日科技連出版社発行１９９０年１１月
【発明の概要】
【発明が解決しようとする課題】
【０００６】
特許文献1及び非特許文献１に開示された方法では，ある一時点における要求や技術にのみ着目して開発方針を決定する。しかし、開発を長期的に考えると、将来的には、社会的・法規則による要求の変化や、顧客等の要求に対する重要度の変化が見込まれる。また、製品に関係する技術についても、将来的な技術発展が見込まれる。そのような要求の変化や技術の変化といった将来の変化を見据えて、最も効果的な解決方法を与える技術が必要である。また、製品開発は一時的なものではなく、継続的に様々な技術が適用されるため、長期的な開発計画を立てることを支援する方法が必要である。
【０００７】
本発明は、上記従来技術の課題を解決し、製品の開発に関する複数の要求に対して、将来を見据えて最も効果的な解決方法を与える技術を選択する支援方法及び支援装置を提供することを目的とする。
【課題を解決するための手段】
【０００８】
上記課題を解決するために、例えば次のような構成を採用する。すなわち、本発明の開発方針決定支援装置は、情報の管理と処理の実行命令を行う処理部、前記情報をもとに計算を行う演算部、前記情報と情報の演算結果を格納する情報記憶データベース、入力部、及び出力部を備え、製品の開発方針決定を支援する開発方針決定装置であって、前記処理部は、要求品質展開表フォーマット作成手段と、要求項目重要度設定手段と、開発項目重要度算出手段、及び、最終開発項目重要度算出手段、など処理の実行命令を備えており、前記製品の開発に関する前記要求品質展開表の情報として、該要求品質展開表の複数の想定作成時点、複数の要求項目、複数の開発項目、前記要求項目と前記開発項目の対応付け、前記複数の想定作成時点に応じた前記要求項目重要度、前記要求項目の出現時期、前記開発項目の実現時期、及び、前記複数の想定作成時点の重みの入力を受け付け、前記要求品質展開表作成手段で前記複数の想定作成時点の要求品質展開表を作成し、前記要求項目重要度設定手段で前記想定作成時点毎の要求項目重要度を設定し、前記開発項目重要度算出手段で前記想定作成時点毎の開発項目重要度を算出し、前記最終開発項目重要度算出手段で全想定作成時点を踏まえた最終開発項目重要度を算出することを特徴とする。
【発明の効果】
【０００９】
本発明によれば、複数の要求に対して、将来を見据えて最も効果的な解決方法を与える技術を選択する手段を提供することができる。これにより、使用者は開発計画を定量的に判断できる。
【図面の簡単な説明】
【００１０】
【図１】本発明の第一の実施例になる、開発方針決定装置の構成例を示す図である。
【図２】図１の処理部の機能ブロック、演算部の処理ブロック、及び、情報記憶データベースが格納する情報の一例である。
【図３】実施例１で用いられる要求品質展開表のフォーマットの一例である。
【図４】実施例１の入力部の表示画面（入力画面）の一例である。
【図５】実施例１の演算部が実施する処理のフローチャートの例である。
【図６】図５のＳ２０１の処理のデータフロー図の例である。
【図７】図５のＳ２０３の処理のデータフロー図の例である。
【図８】図５のＳ２０６の処理のデータフロー図の例である。
【図９】図６の処理の結果の成果物である、要求項目と開発項目および対応付け情報を含む要求品質展開表のフォーマットの例である。
【図１０】図７の処理の中間生成物である、想定作成時点の要求項目重要度の情報を含む要求品質展開表のフォーマットの例である。
【図１１】図７の処理の結果の成果物である、想定作成時点の開発項目重要度の一覧情報を含む要求品質展開表の例である。
【図１２】図５のステップ２０４の判定作業において、全ての想定作成時点における要求品質展開表を作成した結果の例である。
【図１３Ａ】図８の処理の結果の成果物である、最終開発項目重要度の例である。
【図１３Ｂ】実施例１の出力部の表示画面（出力画面）の一例である。
【図１４】実施例２の処理部の機能ブロック、演算部の処理ブロック、及び、情報記憶データベースが格納する情報の一例である。
【図１５】実施例２の演算部が実施する処理のフローチャートの例である。
【図１６】実施例２の入力部の表示画面（入力画面）の一例である。
【図１７】実施例２の処理における、中間生成物の例である。
【図１８】実施例２の処理の結果の成果物である、要求満足度の例である。
【図１９】図１５の処理を全ての開発項目適用順において実施した結果の成果物である、要求満足度の例、及び出力部の表示画面（出力画面）の一例である。
【発明を実施するための形態】
【００１１】
本発明において、上記課題を解決する手段の一例を挙げるならば、開発方針決定支援装置は、要求品質展開表の作成を想定する時期を入力する要求品質展開表の想定作成時点、要求項目、開発項目、要求項目と開発項目の対応付け、要求品質展開表の想定作成時点に応じた要求項目重要度、要求項目の出現時期、開発項目の実現時期、要求品質展開表の想定作成時点の重みを入力し、複数の要求に対して、将来を見据えて最も効果的な解決方法を与える技術を選択する情報を出力することを特徴とする。  
以下、将来の技術発展や開発進度を踏まえた開発方針決定支援を行う本発明の実施例を、図面を用いて説明する。
【実施例１】
【００１２】
図１乃至図１３Ｂを用いて、本発明の第一の実施例になる、製品の開発方針決定支援方法および支援装置について、説明する。
【００１３】
図１は、本実施例の開発方針決定装置１００のシステム構成の一例を示す図である。  
開発方針決定装置１００は、画面を表示する出力部１０１、入力を行う入力部１０２、情報の管理を行う処理部１０３、情報の計算を行う演算部１０４、情報を格納する情報記憶データベース１０５を有する。出力部１０１は、例えばモニタやプリンタなど出力結果を確認できる装置であれば良い。入力部１０２は、要求品質展開表のフォーマット等に必要な情報を利用者が入力する装置である。入力部１０２は、例えばキーボードやマウスなど入力作業を行える装置と例えばモニタなど入力作業を確認できる装置とを組み合わせた装置であれば良い。
【００１４】
図２に、コンピュータ上でプログラムを実行することにより実現される、処理部１０３の機能ブロックの一例を示す。処理部１０３は、複数の想定作成時点で利用する要求品質展開表のフォーマットを作成する、要求品質展開表フォーマット作成手段１０３１、想定作成時点毎の要求項目重要度を設定する、要求項目重要度設定手段１０３２、想定作成時点毎の開発項目重要度を算出する、開発項目重要度算出手段１０３３、及び、全想定作成時点を踏まえた最終開発項目重要度を算出する、最終開発項目重要度算出手段１０３４を備えている。
【００１５】
また、情報記憶データベース１０５に保持される情報には、要求項目一覧情報、要求項目の重要度及び出現時期の情報、開発項目一覧情報、開発項目の重要度及び出現時期の情報、要求項目と開発項目の対応付け情報、及び、要求品質展開表、等がある。
【００１６】
また、処理部１０３から処理の命令を受け、処理内容に応じて、情報記憶データベース１０５が保持する情報の中から、必要な情報を受け取り、実際に演算を行う、演算部１０４の処理ブロックの一例を示す。演算部１０４は、複数の想定作成時点で利用する要求品質展開表のフォーマットを作成する、要求品質展開表フォーマット作成、想定作成時点毎の要求項目重要度を設定する、要求項目重要度設定、想定作成時点毎の開発項目重要度を算出する、開発項目重要度算出、及び、全想定作成時点を踏まえた最終開発項目重要度を算出する、最終開発項目重要度算出、等を実施する。
【００１７】
図３に、要求品質展開表２００のフォーマットの一例を示す。
【００１８】
要求品質展開表２００には、要求項目一覧２０２、開発項目一覧２０３、要求項目重要度２０４、及び、開発項目重要度２０５の各欄がある。
【００１９】
図４に、入力部１０２の表示画面（入力画面）３００の一例を示す。利用者は入力部１０２から、要求項目２０２、開発項目２０３、要求項目と開発項目の対応付け２１０、要求品質展開表を作成する時期３０１、要求品質展開表を作成する時期に応じた要求項目の出現時期２０７と開発項目の実現時期２０８、要求品質展開表の想定作成時点の重み２０９、等の情報を入力する。
【００２０】
入力画面３００では、さらに、要求品質展開表の作成を想定する時期を入力する要求品質展開表の想定作成時点３０１、この要求品質展開表の想定作成時点３０１に応じた要求項目重要度２０４も入力する。要求品質展開表の作成を想定する時点３０１は使用者が決める。想定時点の設定数において、特に制限はない。時点間の間隔は一定である必要はない。
【００２１】
要求項目２０２には、社会的要求や法律や規制などを踏まえて将来的に現れる要求を全て入力し、その要求がいつ現れるかを要求項目の出現時期２０７に入力する。開発項目２０３には、技術発展や開発進度などを踏まえて将来的に実現できる開発項目を全て入力し、その技術がいつ実現できるかを実現時期２０８に入力する。入力できる要求項目２０２の個数、開発項目２０３の個数に制限はない。
【００２２】
要求項目と開発項目の対応付け２１０は、要求項目と開発項目に強い対応がある場合を◎、対応が有る場合を○、対応が予想される場合を△、対応が無い場合を無印で入力する。対応付けの表記について、５段階評価など数字を入力しても良い。
【００２３】
要求項目重要度２０４は、３段階評価で入力する。入力を何段階評価にするかについては、特に制限はない。ただし、要求項目の出現時期２０７に応じて、要求項目の出現時期２０７以前の要求項目重要度２０４は記入する必要がないため、システムは使用者が記入できないようにする、または使用者が記入しても、その要求項目重要度２０４の値を利用せず無効にする。
【００２４】
要求項目の出現時期２０７は、要求項目２０２に対応して、その要求がいつ現れるかの時点を入力する。開発項目の実現時期２０８は、開発項目２０３に対応して、その技術がいつ実現できるかの時点を入力する。
【００２５】
要求品質展開表の想定作成時点の重み２０９は、例えば今の時点に比べ将来のある時点は信頼性の低い情報であるため低い重みを付ける、また開発目標とする時期に高い重みを付けるなどで利用する。特に必要が無ければ、記入値を全て１としておけば良い。
【００２６】
入力部１０２から利用者に入力された情報を、処理部１０３が受け取り、情報記憶データベース１０５に格納する。情報が格納されると、処理部１０３が演算部１０４へ、要求品質展開表フォーマット作成手段１０３１、要求項目重要度設定手段１０３２、開発項目重要度算出手段１０３３、及び、最終開発項目重要度算出手段１０３４、等の処理命令を出す。演算部１０４は処理命令を受け取ると、情報記憶データベース１０５から演算に必要な情報を取り出し、処理内容に応じた順序で演算を行う。演算終了後、演算部１０４は演算結果を情報記憶データベース１０５に格納し、処理部１０３へ演算が終了したことを通知する。処理部１０３と演算部１０４と情報記憶データベース１０５のやり取りは、必要な演算が全て終了するまで繰り返す。必要な演算が全て終了した後、処理部１０３は最終的な結果を出力部１０３へ表示する。出力部は利用者へ結果を表示する装置である。
【００２７】
開発方針決定支援装置の処理部１０３、演算部１０４、情報記憶データベース１０５、等の各ブロックは、複数の計算機に分散して置かれてもよい。
【００２８】
本発明は、主に処理部１０３、演算部１０４、情報記憶データベース１０５に特徴がある。
【００２９】
図５に、演算部１０４による計算のフローチャートの一例を示す。  
演算部１０４は、最初に、情報記憶データベース１０５に格納されている情報を入力として受け取り、ステップ２０１（処理０）を実行する。
【００３０】
図６は、図５のＳ２０１（処理０）のデータフロー図である。図６に示すように、Ｓ２０１は、１つのステップで構成されている。すなわち、要求品質展開表のフォーマットを作成するステップ３０４では、情報記憶データベース１０５に格納されている、要求項目の一覧情報３０１、開発項目の一覧情報３０２、要求項目と開発項目の対応付け情報３０３の情報を入力として受け取り、要求品質展開表のフォーマット３０５を出力する。
【００３１】
ステップ３０４で作成する要求品質展開表のフォーマット３０５の一例を、図９に示す。要求項目一覧６０２に要求項目の一覧情報２０２を羅列し、開発項目一覧６０３に開発項目の一覧情報２０３を羅列し、要求項目一覧と開発項目一覧の対応付け６０４に要求項目と開発項目の対応付け情報２１０を羅列する。
【００３２】
以上により、処理０では、要求品質展開表のフォーマット３０５を出力する。
【００３３】
次に、Ｓ２０２では、Ｓ２０１の出力結果である要求品質展開表のフォーマット３０５を入力し、要求品質展開表の想定作成時点を決定し、いつの時点を想定して作成する要求品質展開表なのかという要求品質展開表の想定作成時点の情報を付加した、要求品質展開表のフォーマットを出力する。
【００３４】
次に、図５の処理１（Ｓ２０３）では、Ｓ２０２の出力結果である要求品質展開表の想定作成時点の情報を含む要求品質展開表のフォーマット３０５を入力し、Ｓ２０３を実行し、想定作成時点の開発項目重要度の一覧情報を含む要求品質展開表４０７を出力する。
【００３５】
図７で、図５の処理１（Ｓ２０３）の内容を説明する。図７に示したように、処理１は、２つのステップ（４０４，４０６）で構成されている。  
処理１の第一ステップである、想定作成時点の要求品質展開表のフォーマットを作成するＳ４０４では、要求品質展開表の想定作成時点の情報を含む要求品質展開表のフォーマットの情報３０５、想定作成時点の要求項目重要度の一覧情報３０１、想定作成時点の要求項目と開発項目の情報２０７、２０８を入力として受け取り、想定作成時点の要求品質展開表のフォーマット４０５を出力する。想定作成時点の要求項目と開発項目の情報２０７、２０８は、使用者が入力した要求項目の出現時期２０７と開発項目の実現時期２０８を踏まえて、要求項目と開発項目がその時点に必要か不要を判定するための情報である。
【００３６】
図１０に、想定作成時点の要求品質展開表のフォーマット４０５の一例を示す。想定作成時点の要求品質展開表のフォーマット４０５に、２０１０／１（２０１０年１月）という要求品質展開表の想定作成時点の情報７０２が付いており、要求項目重要度７０３に想定作成時点の要求項目重要度の一覧情報２０２を羅列する。図１０では、要求品質展開表の想定作成時点の情報７０２は、２０１０／１（２０１０年１月）である。また、想定作成時点の要求項目と開発項目の情報２０７、２０８から、要求品質展開表の想定作成時点には出現しない要求項目と実現できない開発項目を消す。
【００３７】
図１０では、開発項目３（７０４）が、想定作成時点では実現できない開発項目であるため、網掛けによって消されている。
【００３８】
処理１の第二ステップである、想定作成時点の開発項目重要度を算出するステップ４０６では、想定作成時点の要求品質展開表のフォーマット４０５を入力として受け取り、想定作成時点の開発項目重要度の一覧情報を含む要求品質展開表４０７を出力する。開発項目重要度の一覧情報の算出方法は、図１１を用いて説明する。
【００３９】
図１１に、想定作成時点の開発項目重要度の一覧情報を含む要求品質展開表４０７の一例を示す。開発項目重要度８０３は、要求項目と開発項目の対応付け８０２の◎を３点、○を２点、△を１点、無印を０点として、各要求項目重要度との乗算結果を、各開発項目において加算することにより算出する。図１１では、開発項目の実現時期２０８より、開発項目３（８０４）は２０１０／１（２０１０年１月）時点で実現できない技術であるため、０の値を強制的に入力する。または、システム的に開発項目３（８０４）の開発項目重要度（８０３）は算出できないようにする。
【００４０】
一般的には、ｎ個の要求項目Ｙｉ、ｍ個の開発項目Ｘj、各要求項目Ｙｉの要求項目重要度Ａｉ、各要求項目と開発項目の対応付けの強さを示すＺｉｊ（１≦ｉ≦ｎ、１≦ｊ≦ｍ）とすると、各開発項目Ｘjの開発項目重要度Ｂjは、次式（１）
Ｂｊ＝Σ（１≦ｉ≦ｎ）Ａｉ×Ｚｉｊ            （１）
として算出する。ただし、要求品質展開表の作成を想定する時点で出現していない要求項目の要求項目重要度については入力されていないため算出しない、または０の値を与えられる。要求品質展開表の作成を想定する時点で実現されない開発項目の開発項目重要度については算出しない、または０の値を強制的に入力する。
【００４１】
以上により、図５の処理１（Ｓ２０３）では、想定作成時点の開発項目重要度の一覧情報を含む要求品質展開表４０７を出力する。
【００４２】
次に、図５のＳ２０４では、次の要求品質表を作成するか判定を行う。すなわち、処理１の出力結果である想定作成時点の開発項目重要度の一覧情報を含む要求品質展開表４０７を入力として受け取り、使用者が入力した要求品質展開表の作成を想定する時点３０１の全ての品質展開表を作成していなければ、次の要求品質表を作成する必要があるため、Ｓ２０５の要求品質展開表の想定作成時点の更新の手順に進む。使用者が入力した要求品質展開表の作成を想定する時点３０１の全ての品質展開表を作成していれば、次の要求品質表を作成する必要がないため、Ｓ２０６の手順に進む。
【００４３】
Ｓ２０４の要求品質表を作成するかの判定作業において、次の要求品質表を作成する場合、Ｓ２０５の要求品質展開表の想定作成時点の更新を実行する。Ｓ２０５では、処理１（Ｓ２０３）の出力結果の想定作成時点の開発項目重要度の一覧情報を含む要求品質展開表４０７を入力として受け取り、Ｓ２０５の要求品質展開表の想定作成時点の更新を実施し、Ｓ２０５の出力結果である更新された要求品質展開表の想定作成時点の情報を、Ｓ２０２の要求品質展開表の想定作成時点の決定に渡す。
【００４４】
Ｓ２０５の要求品質展開表の想定作成時点の決定では、Ｓ２０１の出力結果である要求品質展開表のフォーマット３０５に、Ｓ２０５の要求品質展開表の想定作成時点の更新から入力として受け取った、更新された要求品質展開表の想定作成時点の情報を付加して、要求品質展開表の想定作成時点の情報を含む要求品質展開表のフォーマット３０５を出力する。
【００４５】
図１２に、Ｓ２０４の次の要求品質表を作成するかの判定作業において、使用者が入力した要求品質展開表の作成を想定する時点３０１の全ての品質展開表（４０７−Ａ，４０７−Ｂ，４０７Ｃ）を作成した結果を示す。すなわち、使用者が入力した要求品質展開表の作成を想定する時点３０１の２０１０／１（２０１０年１月）の要求品質展開表４０７−Ａ、２０１０／９（２０１０年９月）の要求品質展開表４０７−Ｂ、２０１１／５（２０１１年５月）の要求品質展開表４０７Ｃを作成する。
【００４６】
図５に戻って、Ｓ２０４の要求品質表を作成するかの判定作業において、次の要求品質表を作成しない場合、Ｓ２０６（処理２）を実行する。
【００４７】
図８を用いて、処理２の処理内容を説明する。処理２は、２つのステップで構成されている。  
図５のＳ２０３からＳ２０６に進むまでに作成した複数の想定作成時点の開発項目重要度の一覧情報を含む要求品質展開表４０７は情報記憶データベース１０５に格納されており、処理２の第一ステップである、開発項目と複数の時期の開発項目重要度を抜き出すステップ５０２では、情報記憶データベース１０５に格納されていた全ての想定作成時点の要求品質展開表の情報５０１を入力として受け取り、開発項目と全ての想定作成時点の開発項目重要度の一覧情報５０３を出力する。
【００４８】
処理２の第二のステップである、最終開発項目重要度を算出するステップ５０４では、開発項目と全ての想定作成時点の開発項目重要度の一覧情報５０３を入力として受け取り、最終開発項目重要度の情報５０５を出力する。
【００４９】
図１３Ａに、開発項目と全ての想定作成時点の開発項目重要度の一覧情報１０００２と最終開発項目重要度の情報１００５の一例を示す。ここで、最終開発項目重要度１００５の算出方法を説明する。図１３Ａには、開発項目と全ての想定作成時点の開発項目重要度の一覧情報１００２と、その情報に対応して要求品質展開表の想定作成時点の重み２０９を想定作成時点重み１００３に羅列する。最終開発項目重要度１００５は、要求品質展開表の想定作成時点の重み１００３と各開発項目の想定作成時点の開発項目重要度１００２との乗算結果を、各開発項目において加算することにより算出する。
【００５０】
図１３Ａでは、要求品質展開表の想定作成時点の２０１０／１（２０１０年１月）の開発項目３の開発項目重要度の情報１００４が入力されていないため、要求品質展開表の想定作成時点の２０１０／１（２０１０年１月）の開発項目３の開発項目重要度１００４の値に０を与えて算出する。
【００５１】
一般的には、t個の要求品質展開表の想定作成時点Ｔｉ、ｍ個の開発項目Ｘj、各要求品質展開表の想定作成時点Ｔｉの重みＣｉ、各要求品質展開表の想定作成時点の開発項目重要度Ｗｉｊ（（１）式から算出）（１≦ｉ≦ｔ、１≦ｊ≦ｍ）とすると、各開発項目Ｘjの最終開発項目重要度Ｄjは、次式（２）
Ｄｊ＝Σ（１≦ｉ≦ｔ）Ｃｉ×Ｗｉｊ    （２）
として算出する。ただし、開発項目重要度の情報が入力されていない場合は、開発項目重要度の値を０として算出する。
【００５２】
以上により、図５の処理２（Ｓ２０６）では、最終開発項目重要度の情報５０５を出力する。
【００５３】
算出した最終開発項目重要度の情報５０５において、最も数値が高かった開発項目を、最優先の開発項目であると決定する。
【００５４】
例えば、図１３Ａの例では、開発項目２が最終開発項目重要度において最も数値が高く、最優先の開発項目となる。
【００５５】
次に、図１３Ｂに、出力部１０１の表示画面の一例を示す。出力画面では、要求品質展開表を作成した時期１０１１に応じて算出した開発項目重要度１００２と最終開発項目重要度１００５を出力する。
【００５６】
このように、本実施例によれば、従来ではなかなか選定され難かった、継続的に平均的な重要度を持つ技術を特定することで、将来を見据えて最も効果的な解決方法を与える技術を選択できた。これにより、使用者は、製品の開発に関する複数の要求を満たす開発方針を定量的に判断できるようになり、本発明の目的を達成することができる。
【実施例２】
【００５７】
次に、本発明の第２の実施例について説明する。本実施例では、実施例１で利用した図に加え、図１４〜図１９を用いて、将来の技術発展や開発進度を踏まえるだけでなく、技術の実現順に応じた要求満足度を算出することで開発方針決定支援を行う装置の一例を説明する。図１の開発方針決定支援を行う開発方針決定装置１００のうち、既に説明した実施例１において、示した同一の符号を付した構成と、同一の機能を有する部分については、説明を省略する。
【００５８】
図１４に、コンピュータ上でプログラムを実行することにより実現される、処理部１０３の機能ブロックの一例を示す。処理部１０３は、入力された情報から要求品質展開表のフォーマットを作成する、要求品質展開表フォーマット作成手段１０３６、現時点から将来に到る時系列的な要求項目重要度を設定・算出する、要求項目重要度設定・算出手段１０３７、現時点から将来に到る時系列的な開発項目重要度を算出する、開発項目重要度算出手段１０３８、及び、現時点から将来に到る時系列的な要求満足度を算出する、要求満足度算出手段１０３９を備えている。
【００５９】
また、情報記憶データベース１０５に保持される情報には、要求項目一覧情報、要求項目の重要度及び出現時期の情報、開発項目一覧情報、開発項目の重要度及び出現時期の情報、要求項目と開発項目の対応付け情報、要求項目と開発項目の対応付け情報の減少率、要求項目重要度の減少度、要求品質展開表、及び、要求満足度、等がある。
【００６０】
また、処理部１０３から処理の命令を受け、処理内容に応じて、情報記憶データベース１０５が保持する情報の中から、必要な情報を受け取り、実際に演算を行う、演算部１０４の処理ブロックの一例を示す。演算部１０４は、入力された情報から要求品質展開表のフォーマットを作成する、要求品質展開表フォーマット作成、現時点から将来に到る時系列的な要求項目重要度を設定・算出する、要求項目重要度設定・算出、現時点から将来に到る時系列的な開発項目重要度を算出する、開発項目重要度算出、及び、現時点から将来に到る時系列的な要求満足度を算出する、要求満足度算出、等を実施する。
【００６１】
本実施例の処理の流れを図１５のフローチャートを用いて具体的に説明する。
【００６２】
まず、Ｓ１１００では、情報記憶データベース１０５に格納されている情報を入力として受け取り、図６に示した処理０により、要求品質展開表のフォーマット３０５を出力する。処理０の処理内容は、図５のＳ２０１と同様である。
【００６３】
次のＳ１１０１では、要求品質展開表のフォーマット３０５を入力として受け取り、要求項目重要度の情報２０４を追加した要求品質展開表を出力する。
る。
【００６４】
図１６に、入力部１０２の表示画面（入力画面）３００の一例を示す。実施例１と異なり、要求項目重要度は、現想定時点の情報のみ入力し、それ以降の各想定作成時点の要求項目重要度は入力しない。代わりに、使用者が入力した想定作成時点の個数が要求品質展開表の作成回数Ｎとなる。その他の項目に関しては、実施例１と同様である。
【００６５】
すなわち、１回目の要求品質展開表を出力するときは、要求項目重要度２０４は使用者から与えられた情報を入力として与える。ただし、本実施例では、最初の時点の要求品質展開表を出力するとき、つまり最初の時点の要求品質展開表の想定作成時点の要求品質展開表１２０１を使用するときのみ、使用者から与えられた要求項目重要度２０４の情報を利用する。
【００６６】
図１６において、入力された最初の時点以外の要求品質展開表の想定作成時点に応じた要求項目重要度２０４は記入する必要がないため、システムは使用者が記入できないようにする、または使用者が記入してもその要求項目重要度２０４の値を利用せず無効にする。
【００６７】
次に、Ｓ１１０２では、要求項目重要度の情報２０４を追加した要求品質展開表２００を入力として受け取り、開発項目重要度２０７を算出し、図１１の要求項目重要度の情報と開発項目重要度の情報を追加した要求品質展開表４０７を出力する。
【００６８】
図１７を用いて、開発項目重要度２０７の算出方法を説明する。  
Ｓ１１０３では、次の要求品質表を作成するか判定を行う。Ｓ１１０２の開発項目重要度を算出の出力結果である要求項目重要度の情報と開発項目重要度の情報を追加した要求品質展開表２００を入力として受け取り、使用者が入力した要求品質展開表の想定作成時点から得られる作成回数Ｎの全ての要求品質展開表を作成していなければ、次の要求品質展開表を作成する必要があるため、Ｓ１１０４の適用する開発項目を決定の手順に進む。使用者が入力した要求品質展開表の想定作成時点から得られる作成回数Ｎの全ての要求品質展開表を作成していれば、次の要求品質展開表を作成する必要がないため、Ｓ１１０６の要求満足度を算出の手順に進む。使用者が入力する要求品質展開表の想定作成時点から得られる作成回数Ｎに回数制限はない。
【００６９】
Ｓ１１０３の要求品質表を作成するかの判定において、次の要求品質展開表を作成する場合、Ｓ１１０４の適用する開発項目を決定では、Ｓ１１０２の開発項目重要度を算出の出力結果である要求項目重要度の情報と開発項目重要度の情報を追加した要求品質展開表２００を入力として受け取り、適用する開発項目の情報１２０５を出力する。Ｓ１１０４の適用する開発項目を決定において選択する開発項目は、Ｓ１１０２で算出する開発項目重要度によらない。
【００７０】
Ｓ１１０５では、Ｓ１１０４の適用する開発項目を決定の出力結果である適用する開発項目の情報１２０５を入力として受け取り、要求項目重要度を算出し、新たな要求項目重要度の情報２０４を出力する。Ｓ１１０５の新たな要求項目重要度を算出で出力した新たな要求項目重要度の情報２０４を、Ｓ１１０１の要求項目重要度に入力として渡し、Ｓ１１０３の要求品質表を作成するかの判定において、次の要求品質表を作成しない場合の判定が出るまで繰り返す。
【００７１】
Ｓ１１０３の要求品質表を作成するかの判定において、次の要求品質表を作成しない場合、Ｓ１１０６の要求満足度を算出では、Ｓ１１０２の開発項目重要度を算出からＳ１１０６の要求満足度を算出に進むまでに作成した複数の要求項目重要度の情報と開発項目重要度の情報を追加した要求品質展開表２００は情報記憶データベース１０５に格納されており、情報記憶データベース１０５に格納されていた全ての要求品質展開表２００を入力として受け取り、要求項目重要度の減少度１３０３を利用して算出した要求満足度の情報１３０４を出力する。
【００７２】
次に、図１７、図１８を参照しながら、図１５のフローチャートのＳ１１０２の開発項目重要度を算出、Ｓ１１０２の新たな要求項目重要度を算出、Ｓ１１０６の要求満足度算出の算出方法の一例を具体的に説明する。なお、要求品質展開表の想定作成時点から得られる作成回数Ｎは３回とする。図１８は、実施例２の処理の結果、出力する要求満足度の例である。
【００７３】
図５のＳ２０１において作成した要求品質展開表のフォーマット３０５に、Ｓ１１０１において現在の要求項目重要度２０４を入力として与える。入力した要求項目重要度２０４より、Ｓ１１０２において開発項目重要度２０７を算出する。開発項目重要度２０７の算出方法は式（１）を利用する。要求項目と開発項目の対応付けについては、要求項目と開発項目に強い対応がある場合を◎で３点、対応が有る場合を○で２点、対応が予想される場合を△で１点、対応が無い場合を無印で０点とする。１回目の要求品質展開表１２０１を作成し、Ｓ１１０３の判定において次の要求品質展開表１２０７を作成する場合、適用する開発項目１２０５を決定する。このとき、選択する開発項目は開発項目重要度２０７によらない。決定した開発項目１２０５により、Ｓ１１０５において新たな要求項目重要度２０４を算出する。
【００７４】
２回目の要求品質展開表１２０７において、開発項目１を適用する場合、新たな要求項目重要度２０４は、要求項目重要度について開発項目１を選択することによる変化を考えることで算出する。開発項目１が適用される場合、開発項目１と対応のある要求項目の要求項目重要度は下がることが予想される。開発項目１が適用されることで算出する要求項目重要度１２０６と、それ以前の要求項目重要度１２０２の減算結果を減少度１３０３とする。
【００７５】
一般的には、ｎ個の要求項目Ｙｉ（１≦ｉ≦ｎ）とｍ個の開発項目Ｘj（１≦ｊ≦ｍ）を有する要求品質展開表において、ｋ回目の要求品質展開表のｎ個の要求項目重要度Ｖｉ，ｋと、ｋ回目の要求品質展開表からある開発項目を適用すると仮定して作成される、（ｋ＋１）回目の要求品質展開表のｎ個の要求項目重要度Ｖｉ，ｋ＋１とすると、ｎ個の要求項目重要度のそれぞれの減少度Ｅｉ，ｋは、次式（３）
Ｅｉ，ｋ＝Ｖｉ，ｋ＋１−Ｖｉ，ｋ        （３）
と定義する。
【００７６】
この要求項目重要度の減少度は、要求項目と開発項目の対応付け２１０による。ある開発項目を実現した際に、要求が満たされ、要求項目重要度が減少する割合を減少率とすると、要求項目と開発項目の対応付け２１０において、強い対応が有る場合は減少率が大きく、対応が無い場合は減少率が小さい。図１７において、要求項目と開発項目の対応付け２１０による要求項目重要度の減少率は、要求項目と開発項目に強い対応がある場合を◎で５０％、対応が有る場合を○で３０％、対応が予想される場合を△で１０％、対応が無い場合を無印で０％とする。
【００７７】
一般的には、ｎ個の要求項目Ｙｉ（１≦ｉ≦ｎ）とｍ個の開発項目Ｘj（１≦ｊ≦ｍ）を有する要求品質展開表において、ｋ回目の要求品質展開表のｎ個の要求項目重要度Ｖｉ，ｋと、ｋ回目の要求品質展開表からある開発項目を適用すると仮定して作成される、（ｋ＋１）回目の要求品質展開表のｎ個の要求項目重要度Ｖｉ，ｋ＋１と、要求項目と開発項目の対応付けに応じた減少率Ｓｉｊとすると、ｎ個の要求項目重要度Ｖｉ，ｋ＋１は、次式（４）
Ｖｉ，ｋ＋１＝Ｖｉ，ｋ−Ｖｉ，ｋ×Ｓｉｊ    （４）
として算出する。
【００７８】
２回目の要求品質展開表１２０７の要求項目重要度２０４を算出するために、要求品質展開表の要求項目重要度２０４について開発項目１を選択することによる要求項目重要度の変化を考える。開発項目１の要求項目と開発項目の対応付け２１０では、要求１に対して◎により強い対応があり、要求２に対して無印により対応が無く、要求３に対して○により対応が有る。要求項目と開発項目の対応付け２１０において、強い対応が有る場合は減少率が大きく、対応が無い場合は減少率が小さくなるため、例えば、要求項目と開発項目に強い対応がある場合を◎で５０％、対応が有る場合を○で３０％、対応が予想される場合を△で１０％、対応が無い場合を無印で０％とする。要求品質展開表１２０７の要求項目重要度２０４は、要求１は３−３×０．５＝１．５、要求２は２−２×０．０＝２、要求３は１−１×０．３＝０．７、と算出する。
【００７９】
減少率は◎の場合を３、○の場合を２、△の場合を１、無印の場合を０など数値としても良い。減少率を数値とした場合、新たな要求項目重要度２０４は要求項目重要度２０４から減少率の単純な減算により算出する。
【００８０】
算出した新たな要求項目重要度２０４により、Ｓ１１０１において要求項目重要度２０４を入力し、Ｓ１１０２において開発項目重要度２０７を算出し、要求品質展開表１２０７を更新する。これをＳ１１０３において次の要求品質表を作成しない判定が出るまで、つまり使用者が入力した要求品質展開表の作成回数Ｎ分、Ｓ１１０４の適用する開発項目を決定とＳ１１０５の新たな要求項目重要度の算出を繰り返し、要求品質展開表を更新する。
【００８１】
Ｓ１１０３の判定において次の要求品質表を作成しない場合、Ｓ１１０６において要求満足度２０４を算出する。要求満足度の算出方法は、図１７の作成した全ての要求品質展開表の要求項目重要度の推移による。要求品質展開表の作成回数Ｎは３回である。２回目の要求品質展開表１２０７を作成するときに適用する開発項目は開発項目１（１２０５）を選択し、３回目の要求品質展開表１２１１を作成するときに適用する開発項目は開発項目３（１２１０）を選択する。
【００８２】
図１８に、図１７の要求項目重要度の減少度１３０３をまとめた。要求満足度の算出方法の一例を図１８により具体的に説明する。要求満足度１３０２は、要求がどれだけ満足したかを数値的に表わすもので、要求項目重要度の減少度１３０３の総和である。１回目の要求品質展開表の要求項目重要度の減少度１３０４は、減少度を算出しないためデータは無い。図１８において図１７の場合の要求満足度１３０２は、２．９０となる。
【００８３】
一般的には、ｎ個の要求項目Ｙｉ（１≦ｉ≦ｎ）とｍ個の開発項目Ｘj（１≦ｊ≦ｍ）を有する要求品質展開表において、ｋ回目の要求品質展開表のｎ個の要求項目重要度Ｖｉ，ｋと、ｋ回目の要求品質展開表からある開発項目を適用すると仮定して作成される、（ｋ＋１）回目の要求品質展開表のｎ個の要求項目重要度Ｖｉ，ｋ＋１と、要求項目と開発項目の対応付けに応じた減少率Ｓｉｊと、要求品質展開表の作成回数をl回と、ｎ個の要求項目重要度のそれぞれの減少度Ｅｉ，ｋとすると、要求満足度Ｆは、次式（５）
Ｆ＝Σ（１≦ｋ≦ｌ−１）｛Σ（１≦ｉ≦ｎ）｜Ｅｉ，ｋ｜｝    （５）
として算出される。
【００８４】
図１５のフローチャートを全ての技術の適用順において実施した場合を考える。図１９の（Ａ）に、図１７の場合において全ての技術の適用順を考慮した要求満足度１４０１をまとめた。図１９の（Ｂ）は出力画面の一例である。出力画面では、具体的な時系列情報１６０３を付加する。
【００８５】
図１７に示すように、開発項目１を適用して要求が満たされると、条件が変化する。例えば技術開発によってある要求が満たされるとその技術に関連する要求も低下し、次の新たな要求に対する技術開発の重要度が相対的に増す。従って、２回目以降の要求品質展開表には、この点を反映させるのが望ましい。
【００８６】
本実施例によれば、開発項目を時系列的に展開し、例えば開発項目１と開発項目３を実現することで、最も高い要求満足度１４０２を得られる。
【００８７】
図１９のように全ての技術の適用順を考慮した要求満足度１４０１を算出することにより、高い要求満足度を得られるように技術を適用する開発方針を決定する。これにより、将来を見据えた長期的な製品開発において複数の技術が時系列で次々と適用されるとき、技術を実現したときの効果を見積もることができ、長期的な開発計画を立てることを支援できる。
【符号の説明】
【００８８】
１００  開発方針決定装置
１０１  出力部
１０２  入力部
１０３  処理部
１０４  演算部
１０５  情報記憶データベース
２０２  要求項目の一覧情報
２０３  開発項目の一覧情報
２１０  要求項目と開発項目の対応付け情報
Ｓ２０１  処理０のステップ
Ｓ２０２  要求品質展開表の想定作成時点の決定をするステップ
Ｓ２０３  処理１のステップ
Ｓ２０４  次の要求品質展開表を作成するかを判定するステップ
Ｓ２０５  要求品質展開表の想定作成時点の更新をするステップ
Ｓ２０６  処理２のステップ
３０４  要求品質展開表のフォーマットを作成するステップ
３０５  要求品質展開表のフォーマット
４０４  想定作成時点の要求品質展開表のフォーマットを作成するステップ
４０５  想定作成時点の要求品質展開表のフォーマット
４０６  想定作成時点の開発項目重要度を算出するステップ
４０７  想定作成時点の開発項目重要度の一覧情報を含む要求品質展開表
５０１  全ての想定作成時点の要求品質展開表の情報
５０２  開発項目と複数の時期の開発項目重要度を抜き出すステップ
５０３  開発項目と全ての想定作成時点の開発項目重要度の一覧情報
５０４  最終開発項目重要度を算出するステップ
５０５  最終開発項目重要度の情報
６０２  要求項目一覧
６０３  開発項目一覧
６０４  要求項目と開発項目の対応付け
７０２  想定作成時点の情報
７０３  要求項目重要度
７０４  開発項目３
８０２  要求項目と開発項目の対応付け
８０３  開発項目重要度
８０４  ２０１０／１（２０１０年１月）時点の開発項目３
１００２  開発項目と全ての想定作成時点の開発項目重要度の一覧情報
１００５  最終開発項目重要度
Ｓ１１００  処理０のステップ
Ｓ１１０１  要求項目重要度を入力するステップ
Ｓ１１０２  開発項目重要度を算出するステップ
Ｓ１１０３  次の要求品質展開表を作成するかを判定するステップ
Ｓ１１０４  適用する開発項目を決定するステップ
Ｓ１１０５  新たな要求項目重要度を算出するステップ
Ｓ１１０６  要求満足度を算出
１２０１  １回目の要求品質展開表
１２０５  １回目の開発項目重要度
１２０７  ２回目の要求品質展開表
１２１０  ２回目の開発項目重要度
１２１１  ３回目の要求品質展開表
１３０１  要求項目重要度の減少度と要求満足度の情報
１３０２  要求満足度
１３０３  要求項目重要度の減少度
１３０４  １回目の要求品質展開表の要求項目重要度の減少度
１４０１  全ての技術の適用順を考慮した要求満足度
１４０２  開発項目１と開発項目３を適用した要求満足度。
【図１】
2012238280.tif 000003
【図２】
2012238280.tif 000004
【図３】
2012238280.tif 000005
【図４】
2012238280.tif 000006
【図５】
2012238280.tif 000007
【図６】
2012238280.tif 000008
【図７】
2012238280.tif 000009
【図８】
2012238280.tif 000010
【図９】
2012238280.tif 000011
【図１０】
2012238280.tif 000012
【図１１】
2012238280.tif 000013
【図１２】
2012238280.tif 000014
【図１３Ａ】
2012238280.tif 000015
【図１３Ｂ】
2012238280.tif 000016
【図１４】
2012238280.tif 000017
【図１５】
2012238280.tif 000018
【図１６】
2012238280.tif 000019
【図１７】
2012238280.tif 000020
【図１８】
2012238280.tif 000021
【図１９】
2012238280.tif 000022